(57)【特許請求の範囲】
【請求項１】
魚釣りに用いるルアーであって、
一端に釣糸係止部を有し他端に釣針を連結可能な連結部を有する金属板と、
前記金属板の他端側に配置された錘部と
を備え、
前記金属板の両表面には長手方向に伸びる凸部が形成されている、
ルアー。
【請求項２】
前記錘部は前記金属板の他端側両表面を覆うように配置されている、請求項１に記載のルアー。
【請求項３】
前記錘部は前記金属板の全表面積の２０％〜５０％を覆っている、請求項２に記載のルアー。
【請求項４】
前記金属板は長手方向両端にそれぞれ孔部を有し、前記釣糸係止部及び連結部は前記孔部である、請求項１〜３のいずれかに記載のルアー。
【請求項５】
前記錘部は前記金属板の両表面にそれぞれ取り付けられている、請求項１〜４のいずれかに記載のルアー。
【請求項６】
前記金属板表面には光輝性シートが貼り付けられている、請求項１〜５のいずれかに記載のルアー。
【請求項７】
前記錘部は、前記金属板の前記錘部を取り付けた部分の幅よりも幅広である、請求項１〜６のいずれかに記載のルアー。
【発明の詳細な説明】
【０００１】
【発明の属する技術分野】
本発明は魚釣りに用いるルアーに関する。
【０００２】
【従来の技術】
従来のメタルジグと呼ばれる金属製ルアーは、鉛，スチールまたはこれらの合金から成るルアー本体と、ルアー本体頭部に設けられたライン（釣糸）を結束するためのアイ（止め輪）と、ルアー本体の尾部に連結されたフック（釣針）とを有している。このメタルジグと呼ばれるルアーは、その金属製のルアー本体自体が錘として作用し、水中にキャスティングされると水中に沈降する。そして、釣人が釣竿を振り上げる等の動作を行いルアーに様々なアクションを付けて、魚をおびき寄せる。
【０００３】
【発明が解決しようとする課題】
大型魚を対象とする釣りを行う場合、用いるルアーも大型のものを用いる必要がある。場合によっては、全長が４０〜５０ｃｍに至るような大型のルアーを用いて魚釣りを行うこともある。しかし、従来のメタルジグをそのまま大型化させると重さが過度に重量化することになり、キャスティングが困難となるのみでなくルアー沈降後にルアーに様々なアクションをおこさせるようなルアー操作が困難になる。また、製造，運搬の困難性も増大する。
【０００４】
このため、従来の大型ルアーは軽量な材質（プラスチック等）のものが一般的であった。しかし、金属製のルアー特有の動作，質感をもって大型魚を対象とする釣りを行う必要もある。
【０００５】
本発明の課題は、取扱及び操作が容易な金属製ルアーを提供することにある。
【０００６】
【課題を解決するための手段】
発明１に係るルアーは、魚釣りに用いるルアーであって、一端に釣糸係止部を有し他端に釣針を連結可能な連結部を有する金属板と、金属板の他端側に配置された錘部とを備えている。また、金属板の両表面には長手方向に伸びる凸部が形成されている。
【０００７】
このルアーは金属板から形成されており過度に重量化することなく大型化可能であり、大型魚を対象として釣りを行える。また、このルアーは沈降時においては、金属板の釣針が連結される他端側には錘部が配置されているので、釣針側を水底方向にして安定した姿勢で素早く沈降する。沈降後に釣人が釣竿を振り上げると、金属板の周囲に生じる水流によって金属板に不規則な力が加わり、ルアーは様々なアクションをおこす。
【０００８】
また、この場合には、金属板表面の凸部が、ルアー沈降後に釣人が釣竿を振り上げた際に、金属板の周囲に生じる水流によって生じる金属板の動きを良好にし、操作性を向上させる。
【０００９】
発明２に係るルアーは、発明１のルアーであって、錘部は金属板の他端側両表面を覆うように配置されている。
【００１０】
この場合には、錘部が金属板の両表面を覆うように配置されており、金属板の両表面側のバランスを良好に保つことができる。
【００１１】
発明３に係るルアーは、発明２のルアーであって、錘部は金属板の全表面積の２０％〜５０％を覆っている。
【００１２】
このような所定の面積比で金属板上に錘部が配置されているので、ルアーの良好な沈降速度と沈降後の良好なアクションを担保できる。
【００１３】
発明４に係るルアーは、発明１〜３のルアーであって、金属板は長手方向両端にそれぞれ孔部を有し、釣糸係止部及び連結部は孔部である。
【００１４】
この場合には、金属板に直接釣糸係止部及び釣針が連結されるので、釣針に掛かった魚から大きな力が加わった際にルアーが破損するのを防止できる。
【００１５】
発明５に係るルアーは、発明１〜４のルアーであって、錘部は金属板の両表面にそれぞれ取り付けられている。
【００１６】
発明６に係るルアーは、発明１〜５のいずれかのルアーであって、金属板表面には光輝性シートが貼り付けられている。
【００１７】
この場合には、金属板の光輝性シートが光を反射して魚の好奇心を高める。なお、この光輝性シートとしては、例えば、ポリエステルフィルムにホログラム加工を施してアルミニウムを蒸着したものや、ＯＰＰフィルムにホログラム加工を施してアルミニウムを蒸着させたもの等が挙げられる。このシートには必要に応じて、様々な模様や色彩が施される。
【００１８】
発明７に係るルアーは、発明１〜６のいずれかのルアーであって、錘部は、金属板の錘部を取り付けた部分の幅よりも幅広である。
【００１９】
【発明の実施の形態】
［第１実施形態］
以下、本発明の第１実施形態について、図面を参照しつつ説明する。
【００２０】
本発明の第１実施形態を採用したルアーは、図１及び図２に示すように、矩形プレート型の金属板１と、金属板１の長手方向他端側表面を覆うように配置された錘部２とを有している。
【００２１】
金属板１は、図２に詳しく示すように、例えば、真鍮，アルミニウム，ステンレス，スチールまたはこれらの合金等からなる金属製部材であり、厚さ約１．０〜７．０ｍｍ程度であり、長手方向長さは１００〜３００ｍｍ程度の部材である。長手方向一端には孔部１ａが形成されており、スプリットリング３を介して釣糸Ｌが連結される。また、長手方向他端にはリング状に突出した釣針連結部４が形成されており、スプリットリング５を介して釣針６が連結されている。金属板１の両表面にはそれぞれ長手方向に並列しつつ配置され凸状に突出した凸部１ｂが形成されている。凸部１ｂは金属板１の幅方向中央付近及びその両側側に併せて３つ配置されている。
【００２２】
また、この金属板１の両表面には、光輝性シートＳが接着剤等によって貼り付けられている。この光輝性シートＳは、ポリエステルフィルムにホログラム加工を施してアルミニウムを蒸着したポリエステルシートやＯＰＰフィルムにホログラム加工を施してアルミニウムを蒸着させたものある。
【００２３】
錘部２は金属板１の釣針連結部４を塞ぐことなく金属板１の他端側の両表面に金属板１の側部を経て配置されている。錘部２は、鉛，タングステン等の比較的比重の大きい金属からなり全体として楕円球形状をなしている。この鉛部２が覆う金属板１の表面は金属板１の全表面の約３０％程度である。
【００２４】
このように構成されたルアーは、全体が金属板１から形成されており、重量化を抑えつつ大型化可能である。スプリットリング３に釣糸Ｌを係止して水中にキャスティングすると、このルアーは錘部２が配置された釣針５側を水底方向として素早く沈降する。この際、錘部２は金属板１の両側面方向におけるバランスを保持しつつ、自らは楕円球状であり水の抵抗を小さくして沈降速度の低下を防いでいる。
【００２５】
そして、沈降後に釣人が釣竿を振り上げルアーを急激に引き上げると、金属板１の周囲に生じる水流によって金属板１に不規則な力が加わり、ルアーは容易に様々なアクションをおこして魚にアピールする。特に、金属板１の表面の凸部によって金属板の動きが良好になる。また、金属板１の表面に貼付られた光輝性シートＳが、外部からの光を反射して魚の好奇心を煽る。
【００２６】
［第２実施形態］
以下、本発明の第２実施形態について、図面を参照しつつ説明する。
【００２７】
本発明の第２実施形態を採用したルアーは、図３及び図４に示すように、矩形プレート型の金属板１１と、金属板１１の長手方向他端側表面を覆うように配置された錘部１２とを有している。
【００２８】
金属板１１は、第１実施形態と同様に、例えば、真鍮，アルミニウム，ステンレス，スチールまたはこれらの合金等からなる金属製部材であり、厚さ約１．０〜７．０ｍｍ程度であり、長手方向長さは２００〜４００ｍｍ程度の部材である。長手方向一端には孔部１１ａが形成されており、スプリットリング１３を介して釣糸Ｌが連結される。また、長手方向他端にも孔部１１ｂが形成されており、スプリットリング１５を介して釣針１６が連結されている。また、金属板１１の孔部１１ｂ側の両側面にはそれぞれ表面垂直方向に突出した突出部２０が形成されている。この突出部２０の突出した先端はフランジ状に係止部が形成されている。
【００２９】
錘部１２は鉛等からなる半楕円球形状の部材であり、金属板１１の両表面にそれぞれ突出部２０を内包するように取り付けられている。この鉛部１２は流動化され所定の型内に流入された後に金属板１１の両表面の突出部２０上に配置され冷却固化されて固定される。この鉛部２が覆う金属板１の表面は金属板１の全表面の約３０％程度である。
【００３０】
このように構成されたルアーは、全体が金属板１１から形成されており、重量化を抑えつつ大型化可能である。スプリットリング１３に釣糸Ｌを係止して水中にキャスティングすると、このルアーは錘部１２が配置された釣針１５側を水底方向として素早く沈降する。そして、沈降後に釣人が釣竿を振り上げルアーを急激に引き上げると、金属板１１の周囲に生じる水流によって金属板１１に不規則な力が加わり、ルアーは様々なアクションをおこして魚にアピールする。
【００３１】
［他の実施形態］
（ａ）釣糸係止部や釣針係止部は任意の箇所に設けることができる。
（ｂ）錘部の形状は上記実施形態に限定されず、種々の形状とすることができる。
（ｃ）錘部は金属板の一方の表面にのみ配置してもよい。この場合は、キャスティング後の沈降時に両側面方向のバランスを崩して不規則に動きつつ沈降してゆく。
（ｄ）図５に示すように、錘部を金属板の両表面に複数個配置してもよい。
（ｅ）金属板の形状はその断面を湾曲させてもよい。
（ｆ）図６及び図７に示すように、金属板を魚に似せて成形してもよい。
【００３２】
【発明の効果】
本発明によれば、過度の重量化を抑えつつ操作性に優れた金属製ルアーを提供できる。
【図面の簡単な説明】
【図１】  本発明の第１実施形態を採用したルアーの全体図。
【図２】  図１のII−II断面図。
【図３】  本発明の第２実施形態を採用したルアーの全体図。
【図４】  図３のIV−IV断面図。
【図５】  本発明の他の実施形態を採用したルアーの全体図。
【図６】  本発明のその他の実施形態を採用したルアーの全体図。
【図７】  図６の上面図。
【符号の説明】
１，１１  金属板
２，１２  錘部
６，１６  釣針
Ｓ  光輝性シート
L  釣糸
【図１】
0004351334.tif 000002
【図２】
0004351334.tif 000003
【図３】
0004351334.tif 000004
【図４】
0004351334.tif 000005
【図５】
0004351334.tif 000006
【図６】
0004351334.tif 000007
【図７】
0004351334.tif 000008